(57)【特許請求の範囲】
【請求項１】
カップ式自動販売機の冷却装置の異常を知らせる警告灯を備えた異常検知装置で、前記警告灯を点灯させる時間を設定手段によって設定し、飲料用の氷を貯氷する貯氷室の満氷スイッチによって満氷でないと判断した時に冷凍サイクルの圧縮機がＯＮしてタイマーによる計測を開始し、前記タイマー計測中、前記貯氷室から氷が搬出していないと判断した場合、前記設定手段で設定した所定時間を超えて満氷スイッチによる満氷検知がされれば、前記冷却装置が異常と判断して警告灯が点灯されることを特徴とするカップ式自動販売機の冷却装置の異常検知装置。
【請求項２】
カップ式自動販売機の冷却装置の異常を知らせる警告灯を備えた異常検知装置で、前記警告灯を点灯させる時間を設定手段によって設定し、蒸発器の表面に氷層が生成したことを検知する氷センサによって飲料用の氷ができあがってないと判断した時に冷凍サイクルの圧縮機がＯＮしてタイマーによる計測を開始し、前記タイマー計測中、飲料の搬出がないと判断した場合、前記設定手段で設定した所定時間を超えて前記氷センサによる氷検知がされれば、前記冷却装置が異常と判断して警告灯が点灯されることを特徴とするカップ式自動販売機の冷却装置の異常検知装置。
【請求項３】
カップ式自動販売機の冷却装置の異常を知らせる警告灯を備えた異常検知装置で、前記警告灯を点灯させる時間を設定手段によって設定し、飲料冷却コイルを収納し水を満たした冷却水槽の水温を計る水温検知手段を備え前記水温検知手段に対して水温計測開始温度と計測終了温度を設定し、前記水温検知手段による検知温度が前記水温計測開始温度以上で、圧縮機がＯＮした時に計測を開始し、タイマー計測中、飲料の搬出がないと判断した場合で前記計測終了温度に達する時間が前記設定手段で設定した所定時間を超えれば前記冷却装置が異常と判断して警告灯が点灯されることを特徴とするカップ式自動販売機の冷却装置の異常検知装置
【請求項４】
カップ式自動販売機の冷却装置の異常を知らせる警告灯を備えた異常検知装置で、前記警告灯を点灯させる温度を設定手段によって設定し、表面に氷層を生成する蒸発器の温度を計るための蒸発器温度検知手段による検知温度が前記設定温度より高い場合で、蒸発器の表面に氷層が生成したことを検知する氷センサが氷層を生成したと判断し、冷凍サイクルの圧縮機がＯＦＦであれば前記冷却装置が異常と判断して警告灯が点灯されることを特徴とするカップ式自動販売機の冷却装置の異常検知装置。
【発明の詳細な説明】
【０００１】
【発明の属する技術分野】
本発明はカップ式自動販売機における冷却装置の異常検知装置に関するものである。
【０００２】
【従来の技術】
従来のカップ式自動販売機における冷却装置の異常検知装置としては特開平２ー２３８２７５号公報に示されているものがある。
【０００３】
以下、図面を参照しながら上記従来のカップ式自動販売機における冷却装置の異常検知装置について説明する。
【０００４】
図９は従来のカップ式自動販売機における冷却装置の異常検知装置の構成図である。図９において、１は表面に氷層を生成する蒸発器、２は前記蒸発器１を収納し水を満たした冷却水槽、３は前記蒸発器１と共に冷凍サイクルを構成する凝縮器、４は圧縮機、５は前記凝縮器３に取り付けられた温度検知手段、６は前記冷却水槽２内の水温を計るための水温検知手段、７は前記凝縮器３が汚れない様取り付けられたフィルター、８は前記フィルター７の目詰まりを知らせるための警告灯、９は前記温度検知手段５と、前記水温検知手段６から得られた温度によって前記警告灯８を点灯させるか否かを判断する制御手段である。
【０００５】
以上のように構成されたカップ式自動販売機における冷却装置の異常検知装置について以下その動作を説明する。
【０００６】
前記圧縮機４で高温高圧に圧縮された冷媒は、フィルターを通して送り込まれる冷却用外気を利用した前記凝縮器３で冷却されて液化し、前記冷却水槽２内に設置された前記蒸発器１を流れる。この時冷媒が気化して水を冷却する。気化した冷媒は再び前記圧縮機４に戻って高温高圧に圧縮される。この時前記フィルター７に目詰まりが起きると、前記凝縮器３は冷却風量の不足からその温度を徐々に上昇させる。前記制御手段９において予め設定しておいた温度Ｔ１とＴ２を前記温度検知手段５から得られた温度ｔ１と、前記水温検知手段６から得られた温度ｔ２を比較してＴ１≦ｔ１，Ｔ２≧ｔ２ならば安定時に目詰まりを起こしていると判断、前記警告灯８を点灯させて定期的に巡回する自動販売機のオペレータに知らせる。
【０００７】
【発明が解決しようとする課題】
しかしながら、上記従来の構成は凝縮器の温度上昇だけで判断するため、目詰まり以外の不具合には対応出来ない。
【０００８】
【課題を解決するための手段】
この目的を達成するために本発明は、製氷機優先運転時の製氷機における圧縮機のＯＮ時間を計測。これにより設定された時間内に満氷にならなければ、凝縮器の目詰まり、設置環境の悪化、冷媒循環量の低下などの不具合が発生、含氷率の低いしゃぶしゃぶ氷しか出来ない、もしくは冷却装置の寿命が縮まると判断して警告灯の点灯もしくは圧縮機停止により冷却装置を守る。
【０００９】
また製氷機における圧縮機のＯＮ時間を計測する代わりに冷却水槽優先運転時における冷却水槽のノッチ時の圧縮機ＯＮ時間を計測。これにより設定された時間内に冷却器に一定量の氷が出来なければ、凝縮器の目詰まり、設置環境の悪化、冷媒循環量の低下などの不具合が発生、効率良く飲料と熱交換が出来ない、もしくは冷却装置の寿命が縮まると判断して警告灯の点灯もしくは圧縮機停止により冷却装置を守る。
【００１０】
また製氷機における圧縮機のＯＮ時間を計測する代わりに冷却水槽の飲料販売時後のプルダウン時における水温の下降時間を測定する。これにより水温の下降時間が設定時間よりも長い場合は、凝縮器の目詰まり、設置環境の悪化、冷媒循環量の低下など冷凍能力がなんらかの原因により低下したと判断、効率良く飲料と熱交換が出来ない、もしくは冷却装置の寿命が縮まると判断して警告灯の点灯もしくは圧縮機停止により冷却装置を守る。
【００１１】
また製氷機における圧縮機のＯＮ時間を計測する代わりに冷却水槽優先運転時における冷却水槽の蒸発器の温度を測定。これにより測定された温度が設定された温度以上のときは、凝縮器の目詰まり、設置環境の悪化、冷媒循環量の低下など冷凍能力がなんらかの原因により低下したと判断、効率良く飲料と熱交換が出来ないと判断して警告灯の点灯を行い自動販売機のオペレータに知らせる。
【００１２】
【発明の実施の形態】
本発明の請求項１に記載の発明は、カップ式自動販売機の冷却装置の異常を知らせる警告灯を備えた異常検知装置で、前記警告灯を点灯させる時間を設定手段によって設定し、飲料用の氷を貯氷する貯氷室の満氷スイッチによって満氷でないと判断した時に冷凍サイクルの圧縮機がＯＮしてタイマーによる計測を開始し、前記タイマー計測中、前記貯氷室から氷が搬出していないと判断した場合、前記設定手段で設定した所定時間を超えて満氷スイッチによる満氷検知がされれば、前記冷却装置が異常と判断して警告灯が点灯されることにより、製氷機優先運転時の製氷機における圧縮機のＯＮ時間の計測を行い、設定された時間内に満氷にならなければ、凝縮器の目詰まり、設置環境の悪化、冷媒循環量の低下などの不具合が発生したと判断して警告灯を点灯させて定期的に巡回する自動販売機のオペレータに知らせる。もしくは圧縮機停止により冷却装置を守ることが出来る。
【００１３】
請求項２に記載の発明は、カップ式自動販売機の冷却装置の異常を知らせる警告灯を備えた異常検知装置で、前記警告灯を点灯させる時間を設定手段によって設定し、蒸発器の表面に氷層が生成したことを検知する氷センサによって飲料用の氷ができあがってないと判断した時に冷凍サイクルの圧縮機がＯＮしてタイマーによる計測を開始し、前記タイマー計測中、飲料の搬出がないと判断した場合、前記設定手段で設定した所定時間を超えて前記氷センサによる氷検知がされれば、前記冷却装置が異常と判断して警告灯が点灯されることにより、冷却水槽優先運転時における冷却水槽のノッチ時の圧縮機ＯＮ時間の計測を行い、設定された時間内に蒸発器に一定量の氷が出来なければ、凝縮器の目詰まり、設置環境の悪化、冷媒循環量の低下などの不具合が発生したと判断して警告灯を点灯させて定期的に巡回する自動販売機のオペレータに知らせる。もしくは圧縮機停止により冷却装置を守ることが出来る。
【００１４】
請求項３に記載の発明は、カップ式自動販売機の冷却装置の異常を知らせる警告灯を備えた異常検知装置で、前記警告灯を点灯させる時間を設定手段によって設定し、飲料冷却コイルを収納し水を満たした冷却水槽の水温を計る水温検知手段を備え前記水温検知手段に対して水温計測開始温度と計測終了温度を設定し、前記水温検知手段による検知温度が前記水温計測開始温度以上で、圧縮機がＯＮした時に計測を開始し、タイマー計測中、飲料の搬出がないと判断した場合で前記計測終了温度に達する時間が前記設定手段で設定した所定時間を超えれば前記冷却装置が異常と判断して警告灯が点灯されることにより、冷却水槽の飲料販売時後のプルダウン時における水温の下降時間を測定する。これにより水温の下降時間が設定時間よりも長い場合は、凝縮器の目詰まり、設置環境の悪化、冷媒循環量の低下など冷凍能力がなんらかの原因により低下したと判断して警告灯を点灯させて定期的に巡回する自動販売機のオペレータに知らせる。もしくは圧縮機停止により冷却装置を守ることが出来る。
【００１５】
請求項４に記載の発明は、カップ式自動販売機の冷却装置の異常を知らせる警告灯を備えた異常検知装置で、前記警告灯を点灯させる温度を設定手段によって設定し、表面に氷層を生成する蒸発器の温度を計るための蒸発器温度検知手段による検知温度が前記設定温度より高い場合で、蒸発器の表面に氷層が生成したことを検知する氷センサが氷層を生成したと判断し、冷凍サイクルの圧縮機がＯＦＦであれば前記冷却装置が異常と判断して警告灯が点灯されることにより、冷却水槽優先運転時における冷却水槽の蒸発器の温度を測定。これにより測定された温度が設定された温度以上のときは、凝縮器の目詰まり、設置環境の悪化、冷媒循環量の低下など冷凍能力がなんらかの原因により低下したと判断して警告灯を点灯させて定期的に巡回する自動販売機のオペレータに知らせることが出来る。
【００１６】
以下、本発明によるカップ式自動販売機における冷却装置の異常検知装置の実施の形態について図面を参照しながら説明する。なお、従来と同一構成については、同一符号を付して詳細な説明を省略する。
【００１７】
（実施の形態１）
図１は、本発明の実施の形態１によるカップ式自動販売機における冷却装置の異常検知装置のブロック図である。
【００１８】
図１において、１０は飲料用の氷を作るための蒸発器を兼ね備えた製氷機、１１は前記製氷機で作られた氷を保存しておくための貯氷室、１２は前記貯氷室が満氷か否かを判断する満氷スイッチ、３は前記製氷機と共に冷凍サイクルを構成する凝縮器、４は圧縮機、１３は前記圧縮機をＯＮ／ＯＦＦするためのリレー、１４は前記圧縮機のＯＮ時間およびＯＦＦ時間を計測するタイマー、１５は時間を設定するための設定手段、１６は前記タイマーで計測した時間と前記設定手段で設定した値を比較する演算処理部、１７は氷の搬出を行ったか否かを判定する搬出検知部手段、８は冷却装置の異常を知らせるための警告灯となっている。
【００１９】
以上のように構成されたカップ式自動販売機における冷却装置の異常検知装置について、以下その動作を図２で説明する。
【００２０】
ＳＴＥＰ１にて前記警告灯８を点灯させる時の前記圧縮機４０Ｎ時間ｔ１にＡを、前記圧縮機４を停止させる時の前記圧縮機４のＯＮ時間ｔ２にＢをそれぞれ設定する。
【００２１】
ＳＴＥＰ２にて前記製氷機１０の前記満氷スイッチ１２がＯＦＦになり、前記圧縮機４ＯＦＦ，前記貯氷室１１が満氷になったことを確認する。
【００２２】
ＳＴＥＰ３にて前記圧縮機４がＯＦＦの間前記搬出検知手段１７にて氷が１個も搬出されていないことを確認する。もし搬出されれば、ＳＴＥＰ２へ戻る。
【００２３】
ＳＴＥＰ４にて前記貯氷室１１の氷が外気の影響を受けてだんだんと解けていくため貯氷量が減少、そのことによって前記満氷スイッチ１２がＯＮになり、前記圧縮機４ＯＮ，製氷を始める。
【００２４】
ＳＴＥＰ５にて前記圧縮機４がＯＮと同時に前記タイマー１４の計測を始める。
【００２５】
ＳＴＥＰ６にて前記搬出検知手段１７で前記圧縮機４がＯＮの間氷が搬出されていないか確認する。もし搬出されればＳＴＥＰ２へ戻る。
【００２６】
ＳＴＥＰ７にて前記タイマー１４で計測している時間ｔがＳＴＥＰ１で設定したＢと比較してｔ≧Ｂならば冷却装置が異常であると判断して故障する前に前記リレー１３の接点を開いて前記圧縮機４を停止させる。
【００２７】
ＳＴＥＰ８にて前記貯氷室１１が満氷になることによって、前記満氷スイッチ１２ＯＦＦ，前記圧縮機４をＯＦＦして前記タイマー１４計測終了。
【００２８】
ＳＴＥＰ９にて前記タイマー１４で計測している時間ｔがＳＴＥＰ１で設定したＡと比較してｔ≧Ａならば冷却装置が何らかの影響で能力が落ちていると判断してＳＴＥＰ１０にて前記警告灯８を点灯させる。ｔ＜Ａならば正常であると判断、ＳＴＥＰ２へ戻って繰り返す。
【００２９】
これにより、製氷機優先運転時の製氷機における圧縮機のＯＮ時間の計測を行い、設定された時間内に満氷にならなければ、凝縮器の目詰まり、設置環境の悪化、冷媒循環量の低下などの不具合が発生したと判断して警告灯を点灯させて定期的に巡回する自動販売機のオペレータに知らせる。もしくは圧縮機停止により冷却装置を守ることが出来る。よって製氷機の安定時における製氷能力で判断するため製氷能力が落ちることによって起こる含氷率の低いしゃぶしゃぶ氷を防ぐことが出来、搬出ばらつきや搬出不良を防いで飲料温度を低く保たせることが出来る。
【００３０】
（実施の形態２）
図３は、本発明の実施の形態２によるカップ式自動販売機における冷却装置の異常検知装置のブロック図である。
【００３１】
図３において、１は表面に氷層を生成する蒸発器、１８は飲料供給パイプラインの途中に設けられた飲料冷却コイル、２は前記蒸発器１と前記飲料冷却コイル１８とを収納し水を満たした冷却水槽、１９は前記蒸発器１に表面に氷層が生成したことを検知する氷センサ、３は前記蒸発器１と共に冷凍サイクルを構成する凝縮器、４は圧縮機、１３は前記圧縮機４をＯＮ／ＯＦＦするためのリレー、１４は前記圧縮機４のＯＮ時間およびＯＦＦ時間を計測するタイマー、１５は時間を設定するための設定手段、１６は前記タイマー１４で計測した時間と前記設定手段１５で設定した値を比較する演算処理部、１７は飲料の搬出を行ったか否かを判定する搬出検知部手段、８は冷却装置の異常を知らせるための警告灯となっている。
【００３２】
以上のように構成されたカップ式自動販売機における冷却装置の異常検知装置について、以下その動作を図４で説明する。
【００３３】
ＳＴＥＰ１にて前記警告灯８を点灯させる時の前記圧縮機４０Ｎ時間ｔ１にＡを、前記圧縮機４を停止させる時の前記圧縮機４のＯＮ時間ｔ２にＢをそれぞれ設定する。
【００３４】
ＳＴＥＰ２にて前記製氷機１０の前記氷センサ１９がＯＦＦになり、前記圧縮機４ＯＦＦ，前記蒸発器１に一定量の氷が出来たことを確認する。
【００３５】
ＳＴＥＰ３にて前記圧縮機４がＯＦＦの間前記搬出検知手段１７にて飲料が搬出されていないことを確認する。もし搬出されれば、ＳＴＥＰ２へ戻る。
【００３６】
ＳＴＥＰ４にて氷が冷水、外気の影響を受けてだんだんと解けていき、氷がある量まで解けると前記氷センサ１９が０Ｎになり、前記圧縮機４ＯＮ，氷の成長が始まる。
【００３７】
ＳＴＥＰ５にて前記圧縮機４がＯＮと同時に前記タイマー１４の計測を始める。
【００３８】
ＳＴＥＰ６にて前記搬出検知手段１７で前記圧縮機４がＯＮの間搬出されていないか確認する。もし搬出されればＳＴＥＰ２へ戻る。
【００３９】
ＳＴＥＰ７にて前記タイマー１４で計測している時間ｔがＳＴＥＰ１で設定したＢと比較してｔ≧Ｂならば冷却装置が異常であると判断して故障する前に前記リレー１３の接点を開いて前記圧縮機４を停止させる。
【００４０】
ＳＴＥＰ８にて氷が一定量まで成長することによって前記氷センサＯＦＦ，前記圧縮機４をＯＦＦして前記タイマー１４計測終了。
【００４１】
ＳＴＥＰ９にて前記タイマー１４で計測している時間ｔがＳＴＥＰ１で設定したＡと比較してｔ≧Ａならば冷却装置が何らかの影響で能力が落ちていると判断してＳＴＥＰ１０にて前記警告灯８を点灯させる。ｔ＜Ａならば正常であると判断、ＳＴＥＰ２へ戻って繰り返す。
【００４２】
これにより、冷却水槽優先運転時における冷却水槽ノッチ時の圧縮機ＯＮ時間の計測を行い、設定された時間内に冷却器に一定量の氷が出来なければ、凝縮器の目詰まり、設置環境の悪化、冷媒循環量の低下などの不具合が発生したと判断して警告灯を点灯させて定期的に巡回する自動販売機のオペレータに知らせる。もしくは圧縮機停止により冷却装置を守ることが出来る。よって冷却水槽の安定時における冷却能力で判断するため氷無しで販売を行う設置場所で効果がある。
【００４３】
（実施の形態３）
図５は、本発明の実施の形態３によるカップ式自動販売機における冷却装置の異常検知装置のブロック図である。
【００４４】
図５において、１は表面に氷層を生成する蒸発器、１８は飲料供給パイプラインの途中に設けられた飲料冷却コイル、２は前記蒸発器１と前記飲料冷却コイル１８とを収納し水を満たした冷却水槽、１９は前記蒸発器１に表面に氷層が生成したことを検知する氷センサ、６は前記冷却水槽２内の水温を計るための水温検知手段、３は前記蒸発器１と共に冷凍サイクルを構成する凝縮器、４は圧縮機、１３は前記圧縮機４をＯＮ／ＯＦＦするためのリレー、１４は前記圧縮機４のＯＮ時間およびＯＦＦ時間を計測するタイマー、１５は時間を設定するための設定手段、１６は前記タイマー１４で計測した時間と前記設定手段１５で設定した値を比較する演算処理部、１７は飲料の搬出を行ったか否かを判定する搬出検知部手段、８は冷却装置の異常を知らせるための警告灯となっている。
【００４５】
以上のように構成されたカップ式自動販売機における冷却装置の異常検知装置について、以下その動作を図６で説明する。
【００４６】
ＳＴＥＰ１にて前記警告灯８を点灯させる時の前記圧縮機４０Ｎ時間ｔ１にＡを、前記圧縮機４を停止させる時の前記圧縮機４のＯＮ時間ｔ２にＢを、飲料の搬出によって前記冷却水槽２内の水の温度が上昇した後、プルダウンを行うが、計測を開始する前記冷却水槽２内水温Ｔ１にＣを、計測を終了する水温Ｔ２にＤをそれぞれ設定する。
【００４７】
ＳＴＥＰ２にて前記搬出検知手段１７によって搬出が確認されればＳＴＥＰ３へ進む。
【００４８】
ＳＴＥＰ３にて前記水温検知手段６で得られた温度ＴがＳＴＥＰ１で設定した温度Ｃと比較してＴ≧ＣならばＳＴＥＰ４へ進む。
【００４９】
ＳＴＥＰ４にて前記圧縮機４がＯＮならば前記タイマー１４計測開始、前記圧縮機４がＯＦＦならば前記タイマー１４は前記圧縮機４がＯＮするまで計測を行わない。
【００５０】
ＳＴＥＰ５にて前記搬出検知手段１７によって搬出が確認されれば前記タイマー１４をリセツトしてＳＴＥＰ３へ戻る。
【００５１】
ＳＴＥＰ６にて前記水温検知手段６で得られた温度ＴがＳＴＥＰ１で設定した温度Ｃと比較してＴ≧Ｃまで降下したならばＳＴＥＰ８へ進む。
【００５２】
ＳＴＥＰ７にて前記タイマー１４で計測している時間ｔがＳＴＥＰ１で設定したＢと比較してｔ≧Ｂならば冷却装置が異常であると判断して故障する前に前記リレー１３の接点を開いて前記圧縮機４を停止させる。ｔ＜ＢならはＳＴＥＰ５ヘ戻り、計測を続ける。
【００５３】
ＳＴＥＰ８にて前記タイマー１４計測終了ＳＴＥＰ９へ進む。
ＳＴＥＰ９にて前記タイマー１４で計測した時間ｔがＳＴＥＰ１で設定したＡと比較してｔ≧Ａならば冷却装置が何らかの影響で能力が落ちていると判断してＳＴＥＰ１０にて前記警告灯８を点灯させる。
【００５４】
これにより、冷却水槽の飲料販売時後のプルダウン時における水温の下降時間を測定する。水温の下降時間が設定時間よりも長い場合は、凝縮器の目詰まり、設置環境の悪化、冷媒循環量の低下など冷凍能力がなんらかの原因により低下したと判断して警告灯を点灯させて定期的に巡回する自動販売機のオペレータに知らせる。もしくは圧縮機停止により冷却装置を守ることが出来る。よって連続販売が多く行われる安定時の少ない設置場所において、安定するまで待たなくても計測、判定出来る。
【００５５】
（実施の形態４）
図７は、本発明の実施の形態３によるカップ式自動販売機における冷却装置の異常検知装置のブロック図である。
【００５６】
図７において、１は表面に氷層を生成する蒸発器、２は前記蒸発器１を収納し水を満たした冷却水槽、１９は前記蒸発器１に表面に氷層が生成したことを検知する氷センサ、２０は前記蒸発器１の温度を計るための蒸発器温度検知手段、３は前記蒸発器１と共に冷凍サイクルを構成する凝縮器、４は圧縮機、１５は温度を設定するための設定手段、１６は前記蒸発器温度検知手段２０と前記設定手段１５で設定した値を比較する演算処理部、１７は飲料の搬出を行ったか否かを判定する搬出検知部手段、８は冷却装置の異常を知らせるための警告灯となっている。
【００５７】
以上のように構成されたカップ式自動販売機における冷却装置の異常検知装置について、以下その動作を図８で説明する。
【００５８】
ＳＴＥＰ１にて前記警告灯８を点灯させる時の前記蒸発器１の温度ｔ１にＡを設定する。
【００５９】
ＳＴＥＰ２にて前記氷センサ１９がＯＮになり、前記圧縮機４ＯＮ，氷の成長が始まる。
【００６０】
ＳＴＥＰ３にてｔ≦Ａならば正常であると判断、ＳＴＥＰ２へ戻って繰り返す。
【００６１】
ＳＴＥＰ４にてｔ＞Ａのまま前記氷センサＯＦＦ，前記圧縮機４がＯＦＦすれば、冷却装置が何らかの影響で能力が落ちていると判断してＳＴＥＰ５にて前記警告灯８を点灯させる。
【００６２】
これにより、冷却水槽優先運転時における冷却水槽の蒸発器の温度を測定。測定された温度が設定された温度以上のときは、凝縮器の目詰まり、設置環境の悪化、冷媒循環量の低下など冷凍能力がなんらかの原因により低下したと判断して警告灯を点灯させて定期的に巡回する自動販売機のオペレータに知らせることが出来る。よって冷却水槽の着氷する時の蒸発温度で判断するため安定時、搬出にかかわらず計測、判定出来る。
【００６３】
【発明の効果】
以上説明したように本発明は、カップ式自動販売機の冷却装置の異常を知らせる警告灯を備えた異常検知装置で、前記警告灯を点灯させる時間を設定手段によって設定し、飲料用の氷を貯氷する貯氷室の満氷スイッチによって満氷でないと判断した時に冷凍サイクルの圧縮機がＯＮしてタイマーによる計測を開始し、前記タイマー計測中、前記貯氷室から氷が搬出していないと判断した場合、前記設定手段で設定した所定時間を超えて満氷スイッチによる満氷検知がされれば、前記冷却装置が異常と判断して警告灯が点灯されることにより、製氷機優先運転時の製氷機における圧縮機のＯＮ時間の計測を行い、設定された時間内に満氷にならなければ、凝縮器の目詰まり、設置環境の悪化、冷媒循環量の低下などの不具合が発生したと判断して警告灯を点灯させて定期的に巡回する自動販売機のオペレータに知らせる。もしくは圧縮機停止により冷却装置を守ることが出来る。よって製氷機の安定時における製氷能力で判断するため製氷能力が落ちることによって起こる含氷率の低いしゃぶしゃぶ氷を防ぐことが出来、搬出ばらつきや搬出不良を防いで飲料温度を低く保たせる効果がある。
【００６４】
また、カップ式自動販売機の冷却装置の異常を知らせる警告灯を備えた異常検知装置で、前記警告灯を点灯させる時間を設定手段によって設定し、蒸発器の表面に氷層が生成したことを検知する氷センサによって飲料用の氷ができあがってないと判断した時に冷凍サイクルの圧縮機がＯＮしてタイマーによる計測を開始し、前記タイマー計測中、飲料の搬出がないと判断した場合、前記設定手段で設定した所定時間を超えて前記氷センサによる氷検知がされれば、前記冷却装置が異常と判断して警告灯が点灯されることにより、冷却水槽優先運転時における冷却水槽のノッチ時の圧縮機ＯＮ時間の計測を行い、設定された時間内に冷却器に一定量の氷が出来なければ、凝縮器の目詰まり、設置環境の悪化、冷媒循環量の低下などの不具合が発生したと判断して警告灯を点灯させて定期的に巡回する自動販売機のオペレータに知らせる。もしくは圧縮機停止により冷却装置を守ることが出来る。よって冷却水槽の安定時における冷却能力で判断するため氷無しで販売を行う設置場所で効果がある。
【００６５】
また、カップ式自動販売機の冷却装置の異常を知らせる警告灯を備えた異常検知装置で、前記警告灯を点灯させる時間を設定手段によって設定し、飲料冷却コイルを収納し水を満たした冷却水槽の水温を計る水温検知手段を備え前記水温検知手段に対して水温計測開始温度と計測終了温度を設定し、前記水温検知手段による検知温度が前記水温計測開始温度以上で、圧縮機がＯＮした時に計測を開始し、タイマー計測中、飲料の搬出がないと判断した場合で前記計測終了温度に達する時間が前記設定手段で設定した所定時間を超えれば前記冷却装置が異常と判断して警告灯が点灯されることで定期的に巡回する自動販売機のオペレータに知らせる。もしくは圧縮機停止により冷却装置を守ることが出来る。よって連続販売が多く行われる安定時の少ない設置場所において、安定するまで待たなくても計測、判定出来るという効果がある。
【００６６】
また、カップ式自動販売機の冷却装置の異常を知らせる警告灯を備えた異常検知装置で、前記警告灯を点灯させる温度を設定手段によって設定し、表面に氷層を生成する蒸発器の温度を計るための蒸発器温度検知手段による検知温度が前記設定温度より高い場合で、蒸発器の表面に氷層が生成したことを検知する氷センサが氷層を生成したと判断し、冷凍サイクルの圧縮機がＯＦＦであれば前記冷却装置が異常と判断して警告灯が点灯されることにより、冷却水槽優先運転時における冷却水槽の蒸発器の温度を測定。これにより測定された温度が設定された温度以上のときは、凝縮器の目詰まり、設置環境の悪化、冷媒循環量の低下など冷凍能力がなんらかの原因により低下したと判断して警告灯を点灯させて定期的に巡回する自動販売機のオペレータに知らせることが出来る。よって冷却水槽の着氷する時の蒸発温度で判断するため安定時、搬出にかかわらず計測、判定出来る効果がある。
【図面の簡単な説明】
【図１】本発明によるカップ式自動販売機における冷却装置の異常検知装置の実施の形態１のブロック図
【図２】本発明によるカッブ式自動販売機における冷却装置の異常検知装置の実施の形態１のフローチャート
【図３】本発明によるカップ式自動販売機における冷却装置の異常検知装置の実施の形態２のブロック図
【図４】本発明によるカップ式自動販売機における冷却装置の異常検知装置の実施の形態２のフローチャート
【図５】本発明によるカップ式自動販売機における冷却装置の異常検知装置の実施の形態３のブロック図
【図６】本発明によるカップ式自動販売機における冷却装置の異常検知装置の実施の形態３のフローチャート
【図７】本発明によるカップ式自動販売機における冷却装置の異常検知装置の実施の形態４のブロック図
【図８】本発明によるカップ式自動販売機における冷却装置の異常検知装置の実施の形態４のフローチャート
【図９】従来のカップ式自動販売機における冷却装置の異常検知装置の構成図
【符号の説明】
１  蒸発器
２  冷却水槽
３  凝縮器
４  圧縮機
５  温度検知手段
６  水温検知手段
７  フィルター
８  警告灯
９  制御手段
１０  製氷機
１１  貯氷室
１２  満氷スイッチ
１３  リレー
１４  タイマー
１５  設定手段
１６  演算処理部
１７  搬出検知手段
１８  飲料冷却コイル
１９  氷センサ
２０  蒸発器温度検知手段
【図１】
0003751110.tif 000002
【図２】
0003751110.tif 000003
【図３】
0003751110.tif 000004
【図４】
0003751110.tif 000005
【図５】
0003751110.tif 000006
【図６】
0003751110.tif 000007
【図７】
0003751110.tif 000008
【図８】
0003751110.tif 000009
【図９】
0003751110.tif 000010